(57)【特許請求の範囲】
【請求項１】
スピーカから発生するカラオケ演奏音に合わせて、照明装置の発光状態を変化させるカラオケ照明システムであって、
光学センサと、発光制御装置と、を備え、
前記光学センサは、前記照明装置から発生する光の照度の変化又は色彩の変化の少なくとも一方を検知して発光検知信号を出力し、
前記発光制御装置は、カラオケ演奏データに含まれるビート信号から得られる前記カラオケ演奏音の発音タイミングと、前記発光検知信号から得られる発光変化タイミングとを比較して、両者が不一致の場合に、前記照明装置の発光状態を変化させるための発光制御信号の発信タイミングを制御して、前記発音タイミングと前記発光変化タイミングとを同期させる同期制御を行い、
前記同期制御は、最初の同期制御である第１の同期制御と、前記第１の同期制御以降に行われる第２の同期制御とからなり、
前記第１の同期制御は、最初のビート信号の受信タイミングで前記発光制御信号を発信し、前記最初のビート信号の受信タイミングから前記発信した発光制御信号に基づく発光変化タイミングが遅延した遅延時間を求め、前記最初のビート信号の受信タイミングと次のビート信号の受信タイミングとの時間間隔から当該遅延時間を差し引いた差分時間だけ、前記次のビート信号の受信タイミングから発光制御信号の発信タイミングを遅らせ、
前記第２の同期制御は、発光制御信号を発信する毎に、直前に受信したビート信号の受信タイミングとさらにその１つ前に受信したビート信号の受信タイミングとの時間間隔に基づいて、次に到来すると予測されるビート信号の予測受信タイミングと、前記発信した発光制御信号に基づく発光変化タイミングとの差分を求めることにより、直前の同期制御の遅延時間を補正し、前記直前に受信したビート信号の受信タイミングと次のビート信号の受信タイミングとの時間間隔から当該補正された遅延時間を差し引いた差分時間だけ、前記次のビート信号の受信タイミングから発光制御信号の発信タイミングを遅らせる、
ことを特徴とするカラオケ照明システム。
【請求項２】
前記光学センサは、特性の異なる照明装置毎にそれぞれ設置され、
前記発光制御装置は、特性の異なる照明装置毎にそれぞれ発光状態の制御を行うことを特徴とする請求項１に記載のカラオケ照明システム。
【発明の詳細な説明】
【技術分野】
【０００１】
本発明は、スピーカから発生するカラオケ演奏音に合わせて、照明装置の発光状態を変化させるカラオケ照明システムに関するものである。
【背景技術】
【０００２】
従来、カラオケルームやカラオケ演奏装置を設置したスナック、バー等には、歌唱の雰囲気を高めるために、ミラーボールやストロボライト等の照明設備が設置されているのが一般的である。特に近年では、ＬＥＤを利用した低価格の照明装置が普及し始めたため、カラオケ演奏と照明装置による演出との組み合わせが見直されるようになってきた。
【０００３】
照明設備を用いた演出装置では、スピーカから出力されるカラオケ演奏音のテンポに合わせて、光の点滅や色彩のコントロールを行うようになっている。具体的には、カラオケ楽曲の演奏データ（例えば、ＭＩＤＩ（登録商標）データ）の一つであるビート信号を参照し、このビート信号に同期させて光の点滅や色彩の変化を制御している。
【０００４】
また、拍子やテンポがそれぞれ異なる種々のカラオケ楽曲に合わせて、照明装置の点滅を制御する技術として、テンポにあったリズムで照明するための照明装置付きスピーカシステムが開示されている（特許文献１参照）。この特許文献１に記載された照明装置付きスピーカシステムは、記録媒体に記録された音楽信号にマイクロホンの音声信号を重畳して出力するスピーカと、２／４、３／４、４／４及び６／８拍子等のリズム又はそれらのリズムの整数倍及び整数分の１倍で複数の点滅パターンを格納した点滅パターン格納素子と、この点滅パターン格納素子に格納された点滅パターンに従って点滅する複数個の照明器具とを備えている。
【先行技術文献】
【特許文献】
【０００５】
【特許文献１】特開平６−７０３８６号公報
【発明の概要】
【発明が解決しようとする課題】
【０００６】
ところで、カラオケ演奏音のテンポと照明装置の点滅等のタイミングとの同期が取れている場合には、好適に演奏や歌唱にマッチングするため、歌唱の雰囲気を向上させることができる。一方、カラオケ演奏音のテンポと照明装置の点滅等のタイミングとの同期が取れていない場合には、間の抜けた感じとなり、せっかく照明演出を行っているにも拘わらず歌唱の雰囲気を損ねることになってしまう。
【０００７】
このため、現在普及している照明装置を制御する照明コントローラでは、カラオケ演奏データに含まれるビート信号（ビートマーク）を受信してから、実際に照明装置を制御するまでにタイムラグ（遅延）が生じてしまうため、そのままでは照明装置の点滅等のタイミングがカラオケ演奏音の発音タイミングに対して遅延してしまい、同期を取ることができない。
【０００８】
そこで、テンポが一定な演奏区間について、カラオケ演奏音の発音タイミングと照明装置の点滅等のタイミングとの差（遅延時間）を想定し、想定された遅延時間に基づいて、照明装置へ送信する発光制御信号の送信タイミングを遅延させることにより、カラオケ演奏音のテンポと照明装置の点滅等のタイミングとの同期を取ることが考えられる。
【０００９】
しかしながら、予め想定された遅延時間に基づいて発光制御信号の送信タイミングを遅延させたとしても、個々の照明装置の特性から光の点滅や色彩の変化タイミングがさらに遅延することも考えられる。具体的には、応答速度に違いがある照明装置（例えば、白熱灯とＬＥＤ）では、それぞれ遅延時間が異なる。また、照明装置を構成する発光体へ電気を供給する仕組みの相違に基づいても、遅延時間に差が生じてしまう。さらに、照明装置の使用年数にも応じて、遅延時間に差が生じる場合もある。なお、上述した特許文献１に記載された技術は、カラオケ演奏音のテンポと照明装置の点滅等のタイミングとが同期しているように見えるだけであり、カラオケ演奏音の発音タイミングと照明装置における発光状態の変化タイミングとを好適に同期させているとは言い難い。
【００１０】
また、カラオケ演奏の途中で、利用者の操作によりカラオケ演奏音のテンポが変更されることが多々ある。この場合にも、カラオケ演奏音の発音タイミングと照明装置における発光状態の変化タイミングとを同期させなければ、上述した不都合が発生してしまう。
【００１１】
本発明は、上述した事情に鑑み提案されたもので、照明装置のタイプや使用年数等に影響されることなく、カラオケ演奏音の発音タイミングと照明装置における発光状態の変化タイミングとを好適に同期させることができ、さらに、カラオケ演奏の途中でテンポが変化した場合であっても、テンポの変化に合わせて同期制御を行うことが可能なカラオケ照明システムを提供することを目的とする。
【課題を解決するための手段】
【００１２】
本発明のカラオケ照明システムは、上述した目的を達成するため、以下の特徴点を有している。すなわち、本発明のカラオケ照明システムは、スピーカから発生するカラオケ演奏音に合わせて、照明装置の発光状態を変化させるカラオケ照明システムであって、光学センサと、発光制御装置と、を備えたことを特徴としている。
【００１３】
光学センサは、照明装置から発生する光の照度の変化又は色彩の変化の少なくとも一方を検知して発光検知信号を出力するための装置である。また、発光制御装置は、カラオケ演奏データに含まれるビート信号から得られるカラオケ演奏音の発音タイミングと、発光検知信号から得られる発光変化タイミングとを比較して、両者が不一致の場合に、照明装置の発光状態を変化させるための発光制御信号の発信タイミングを制御して、発音タイミングと発光変化タイミングとを同期させる同期制御を行うための装置である。同期制御は、最初の同期制御である第１の同期制御と、第１の同期制御以降に行われる第２の同期制御とからなる。
【００１４】
第１の同期制御は、最初のビート信号の受信タイミングで発光制御信号を発信し、最初のビート信号の受信タイミングから、最初のビート信号の受信タイミングで発信した発光制御信号に基づく発光変化タイミングが遅延した遅延時間を求め、最初のビート信号の受信タイミングと次のビート信号の受信タイミングとの時間間隔から当該遅延時間を差し引いた差分時間だけ、次のビート信号の受信タイミングから発光制御信号の発信タイミングを遅らせさせる制御である。
【００１５】
第２の同期制御は、発光制御信号を発信する毎に、直前に受信したビート信号の受信タイミングとさらにその１つ前に受信したビート信号の受信タイミングとの時間間隔に基づいて、次に到来すると予測されるビート信号の予測受信タイミングと、発信した発光制御信号に基づく発光変化タイミングとの差分を求めることにより、直前の同期制御の遅延時間を補正し、直前に受信したビート信号の受信タイミングと次のビート信号の受信タイミングとの時間間隔から当該補正された遅延時間を差し引いた差分時間だけ、次のビート信号の受信タイミングから発光制御信号の発信タイミングを遅らせる制御である。
【００１６】
このような構成からなるカラオケ照明システムでは、光学センサにより、照明装置における発光状態の変化タイミング（発光変化タイミング）を検知する。発光状態の変化タイミングとは、光の点滅、照度の変化、色彩の変化等のタイミングのことである。発光変化タイミングを検知した光学センサは、発光制御装置に対して発光検知信号を送信する。
【００１７】
発光制御装置では、カラオケ演奏データに含まれるビート信号を受信する。そして、カラオケ演奏が開始して最初のビート信号を受信した際に、第１の同期制御として、カラオケ演奏データに含まれるビート信号の受信タイミングで照明装置への発光制御信号を発信する。これにより、発光制御信号の発信タイミングと発光変化タイミングとの差分時間（遅延時間）を検知することができる。すなわち、発光制御信号の発信タイミングと発光変化タイミングとを比較することにより、照明装置における発光変化タイミングがビート信号の受信タイミングから遅延している遅延時間を求めることができる。
【００１８】
そして、この遅延時間に基づいて照明装置の発光状態を制御することにより、ビート信号から得られる発音タイミングと発光変化タイミングとを同期させる。すなわち、最初のビート信号の受信タイミングと次のビート信号の受信タイミングとの時間間隔（テンポ間隔）から遅延時間を差し引いた差分時間だけ、次のビート信号の受信タイミングから照明装置への発光制御信号の発信タイミングを遅らせることにより、ビート信号から得られる発音タイミングと発光変化タイミングとを同期させさせることができる。
【００１９】
ここで、直前に受信したビート信号の受信タイミングとさらにその１つ前に受信したビート信号の受信タイミングとの時間間隔（テンポ間隔）を検知することにより、次に到来すると予測されるビート信号の予測受信タイミングを把握することができる。そこで、第２の同期制御として、照明装置へ発光制御信号を発信する毎に、照明装置における発光変化タイミングと次に到来すると予測されるビート信号の予測受信タイミングとの差分を求めて、直前の同期制御の遅延時間を補正する。このような制御により、照明装置へ発光制御信号を発信する毎に、発音タイミングと発光変化タイミングとのずれを把握する。
【００２０】
そして、補正後の遅延時間を差し引いた差分時間だけ、次の発音タイミングから照明装置への発光制御信号の発信タイミングを遅らせることにより、ビート信号から得られる発音タイミングと発光変化タイミングとを同期させることができる。
【００２１】
また、光学センサは、特性の異なる照明装置毎にそれぞれ設置することが可能である。この場合には、発光制御装置は、特性の異なる照明装置毎にそれぞれ発光状態の制御を行うことを特徴とするものである。
【００２２】
このような構成からなるカラオケ照明システムでは、発光制御信号を受信してから実際に発光状態が変化するまでの応答性能や、性能劣化の経年変化等の特性の異なる照明装置（例えば、白熱灯、ＬＥＤ、ストロボライト）毎に発光変化タイミングを検知して、各照明装置における発光制御信号を受信してから実際に発光状態が変化するまでの遅延時間を求める。そして、特性の異なる照明装置毎にそれぞれ発光状態の制御を行う。
【発明の効果】
【００２３】
本発明のカラオケ照明システムによれば、光学センサを用いて実際の発光変化タイミングを把握し、この実測値に基づいて発光変化タイミングが発音タイミングから遅延している遅延時間を求めることにより、照明装置のタイプや使用年数等に影響されることなく、カラオケ演奏音の発音タイミングと照明装置における発光状態の変化タイミングとを好適に同期させることが可能となる。
【００２４】
また、照明装置へ発光制御信号を発信する毎に、同期制御の基準となる遅延時間の補正を行うことにより、より一層確実に、カラオケ演奏音の発音タイミングと照明装置における発光状態の変化タイミングとを同期させることが可能となる。
【００２５】
また、カラオケ演奏の途中でテンポが変化して、カラオケ演奏音の発音タイミングと照明装置における発光状態の変化タイミングが一致しなくなった場合であっても、変化後のテンポに合わせて、カラオケ演奏音の発音タイミングと照明装置における発光状態の変化タイミングとを好適に同期させることが可能となる。
【００２６】
さらに、特性の異なる照明装置毎に発光変化タイミングを検知して、発光制御を行うことにより、複数タイプの照明装置が設置されている場合であっても、各照明装置において、カラオケ演奏音の発音タイミングと照明装置における発光状態の変化タイミングとを同期させることが可能となる。
【００２７】
このように、本発明のカラオケ照明システムによれば、カラオケ演奏音のテンポと照明装置における発光状態の変化タイミングとを同期させることができるので、照明装置における発光状態の変化タイミングが演奏や歌唱にマッチングして、カラオケの雰囲気を盛り上げ、演奏の楽しさを向上させることが可能となる。
【図面の簡単な説明】
【００２８】
【図１】本発明の実施形態に係るカラオケ照明システムを適用するカラオケ演奏装置の構成を示すブロック図。
【図２】本発明の実施形態に係るカラオケ照明システム及び周辺機器の構成を示すブロック図。
【図３】本発明の実施形態に係るカラオケ照明システムにおける発音／発光変化タイミング同期制御処理の一例を示す説明図。
【図４】本発明の実施形態に係るカラオケ照明システムにおける発音／発光変化タイミング同期処理の他の例を示す説明図。
【発明を実施するための形態】
【００２９】
以下、図面を参照して、本発明のカラオケ照明システムの実施形態を説明する。図１〜図４は、本発明の実施形態に係るカラオケ照明システムを示すもので、図１はカラオケ照明システムを適用するカラオケ演奏装置の構成を示すブロック図、図２はカラオケ照明システム及び周辺機器の構成を示すブロック図、図３及び図４はカラオケ照明システムにおける発音／発光変化タイミング同期制御処理の説明図である。
【００３０】
＜カラオケ照明システムの概要＞
本発明の実施形態に係るカラオケ照明システムは、図１に示すように、光学センサ２９と発光制御装置２７とを備えており、スピーカ２４から発生するカラオケ演奏音に同期させて、照明装置２８の発光状態を制御するようになっている。すなわち、光学センサ２９により、照明装置２８の発光変化タイミング（例えば、点灯タイミング／以下同様）を検知し、発光制御装置２７に対して発光検知信号を送信する。また、発光制御装置２７により、カラオケ演奏データに含まれるビート信号から得られるカラオケ演奏音の発音タイミングと、発光検知信号から得られる発光変化タイミングとを比較して、両者が不一致の場合に、照明装置２８の発光状態を変化させるための発光制御信号の発信タイミングを制御して、発音タイミングと発光変化タイミングとを同期させる。照明装置２８の発光状態の制御については、後に詳述する。
【００３１】
＜カラオケ演奏装置＞
本発明の実施形態に係るカラオケ照明システムを適用するカラオケ演奏装置１０は、図１に示すように、カラオケ本体２１、カラオケリモコン装置２２、マイクロホン２３、スピーカ２４、ミキシングアンプ２５、ディスプレイ装置２６を備えている。
【００３２】
＜カラオケ本体＞
カラオケ本体２１は、中央制御手段３１、ＲＯＭ３２、ＲＡＭ３３、ＨＤＤ３４、送受信手段３５、予約管理手段３６、映像再生制御手段３７、音楽再生制御手段３８を備えている。
【００３３】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００３４】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａが記憶されるようになっている。予約待ち行列３３ａは、予約管理手段３６により管理されるデータである。
【００３５】
＜ＨＤＤ＞
ＨＤＤ３４は、大容量記憶装置として機能するもので、楽曲データベース３４ａ及び映像データベース３４ｂが格納されている。なお、ＨＤＤ３４に替えて、あるいはＨＤＤ３４とともに、データを書き替え可能なＤＶＤ等の大容量記憶装置を用いてもよい。
【００３６】
楽曲データベース３４ａは、演奏データ（ＭＩＤＩ（登録商標）データ）及び歌詞描出データが同期されて構成される楽曲データについて、楽曲ＩＤと対応付けてそれぞれ格納したデータベースである。演奏データは各楽曲の演奏データをデジタル化したものであり、歌詞描出データは演奏に同期した歌詞文字の表示タイミングデータ及び色変わりデータを含んでいる。また、演奏データには、カラオケ楽曲のビート（拍）に関するビート信号が含まれている。映像データベース３４ｂは、演奏されるカラオケ楽曲に対応した背景映像を、当該カラオケ楽曲の楽曲ＩＤに対応させた映像ファイルとして所定数格納したデータベースである。
【００３７】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
＜予約管理手段＞
予約管理手段３６は、利用者により楽曲検索手段２２ａの機能を用いて選曲され、送受信手段３５を介して受信した楽曲ＩＤを、選曲順に演奏予約待ち行列３３ａとしてＲＡＭ３３に格納し、管理するためのプログラムからなる。
【００３８】
＜映像再生制御手段＞
映像再生制御手段３７は、カラオケ楽曲の演奏中に、映像データベース３４ｂから抽出した映像データ及び楽曲データベース３４ａから抽出した楽曲データのうちの歌詞テロップデータ（歌詞文字データ）を、当該カラオケ楽曲の演奏データに同期させてディスプレイ装置２６に出力するための電子回路である。
【００３９】
＜音楽再生制御手段＞
音楽再生制御手段３８は、楽曲ＩＤに基づいて楽曲データベース３４ａから抽出された演奏データをデジタル再生するとともにアナログ変換してミキシングアンプ２５に出力するための電子回路である。ミキシングアンプ２５は、マイクロホン２３から入力された歌唱者の歌唱音声信号と、音楽再生制御手段３８から送出される演奏音声信号とをミキシングするとともに、アンプ機能により増幅してスピーカ２４より出力させるための装置である。
【００４０】
また、本実施形態の音楽再生制御手段３８は、ビート信号出力手段３８ａとしての機能を有しており、演奏データに含まれるビート信号を出力するようになっている。なお、音楽再生制御手段３８の機能によりビート信号を出力するのではなく、当該機能を独立して設けてもよい。
【００４１】
＜ディスプレイ装置＞
ディスプレイ装置２６は、カラオケ演奏時の映像、歌詞テロップ等を表示するための装置で、例えば、液晶ディスプレイ等により構成される。
【００４２】
＜カラオケリモコン装置＞
カラオケリモコン装置２２は、ユーザインタフェース機能を備えており、カラオケ本体２１の送受信手段３５に対して有線方式又は無線方式によりデータの送受信を行うようになっている。このカラオケリモコン装置２２は、楽曲検索手段２２ａとして機能するプログラム、楽曲索引データベース２２ｂ、データの送受信を行うための電子回路（図示せず）及びプログラム、フラッシュメモリ等からなる記憶手段（図示せず）を備えている。
【００４３】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏装置１０で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００４４】
＜照明装置＞
照明装置２８は、スピーカ２４から発生するカラオケ演奏音に合わせて、その発光状態を変化させる装置であり、例えば、複数のＬＥＤ、ストロボライト、白熱灯等の発光手段を備えており、様々なパターンで点滅したり、色彩を変化させたりすることができるようになっている。照明装置２８の構成は特に限定されるものではなく、１種類の発光手段のみを用いたものであってもよいし、種々の発光手段を適宜組み合わせて用いてもよい。例えば、図２に示すように、複数のＬＥＤからなる照明装置２８ａと、複数の白熱灯からなる照明装置２８ｂとを備えた構成とすることができる。また、複数の発光手段を備えている場合には、発光手段毎に発光色を異ならせてもよい。さらに、３原色（ＲＧＢ）のＬＥＤを利用して発光を調整することにより、様々な発光色を表現することができる。
【００４５】
＜光学センサ＞
光学センサ２９は、照明装置２８から発生する光の照度の変化又は色彩の変化の少なくとも一方を検知して発光検知信号を出力するための装置である。光学センサ２９としては、例えば、測定した色をカラーフィルタによりＲＧＢ成分に分解し、それぞれの色成分の強度をフォトダイオードで検知するカラーセンサを用いることができる。なお、光学センサ２９の構成は特に限定されるものではなく、光の照度の変化又は色彩の変化の少なくとも一方を検知できるものであれば、どのようなタイプの光学センサ２９を用いてもよい。
【００４６】
また、光学センサ２９は、発光制御信号を受信してから実際に発光状態が変化するまでの応答性能や、性能劣化の経年変化等の特性の異なる照明装置２８ａ、２８ｂ毎にそれぞれ設置してもよい。すなわち、図２に示すように、ＬＥＤを発光手段とした照明装置２８ａと、白熱灯を発光手段とした照明装置２８ｂとが設置されている場合には、各照明装置２８ａ、２８ｂからの発光を受光する位置にそれぞれ光学センサ２９ａ、２９ｂを設置する。
【００４７】
＜発光制御装置＞
発光制御装置２７は、図２に示すように、カラオケ演奏データに含まれるビート信号から得られるカラオケ演奏音の発音タイミングと、発光検知信号から得られる発光変化タイミングとを比較して、両者が不一致の場合に、照明装置２８の発光状態を変化させるための発光制御信号の発信タイミングを制御して、発音タイミングと発光変化タイミングとを同期させる同期制御を行うための装置であり、主な構成要素として、ビート信号受信手段２７ａ、発光検知信号受信手段２７ｂ、比較解析手段２７ｃ、発光制御手段２７ｄを備えている。この発光制御装置２７における同期制御については、後に詳述する。
【００４８】
なお、発光制御装置２７における発光制御では、カラオケ演奏音のテンポに合わせて、照明装置２８を構成する発光手段のオン・オフ（点滅）制御を行うだけではなく、光の照度や発光色が連続的に変化するような制御を行ってもよい。また、それぞれ特性の異なる照明装置（ＬＥＤ）２８ａと、照明装置（白熱灯）２８ｂと、が設置されており、照明装置２８ａ及び照明装置２８ｂに対してそれぞれ発光センサ２９ａ、２９ｂが設置されている場合には、照明装置２８ａ及び照明装置２８ｂそれぞれの発音タイミングと発光変化タイミングとを同期させるための制御が行われる。
【００４９】
＜ビート信号受信手段＞
ビート信号受信手段２７ａは、ビート信号出力手段３８ａから出力されるビート信号を受信するための手段である。このビート信号は、カラオケ楽曲のビート（拍）に関するデータであり、スピーカ２４から実際に発生しているカラオケ演奏音の発音タイミングを表している。具体的には、１拍の区切り毎にビートマークが付されており、このビートマークの間隔が１拍のテンポ間隔となる。すなわち、ビートマークの間隔が大きくなるほどスローテンポとなり、ビートマークの間隔が小さくなるほどアップテンポとなる。
【００５０】
＜発光検知信号受信手段＞
発光検知信号受信手段２７ｂは、光学センサ２９から出力される発光検知信号を受信するための手段である。発光検知信号は、照明装置２８を構成する発光手段（例えば、ＬＥＤや白熱灯）の発光状態の変化を表す信号であり、照明装置２８における実際の発光変化タイミングを表している。
【００５１】
＜比較解析手段＞
比較解析手段２７ｃは、カラオケ演奏データに含まれるビート信号から得られるカラオケ演奏音の発音タイミングと、発光検知信号から得られる発光変化タイミングとを比較して、発光変化タイミングと発音タイミングとが一致しているか否かを解析するための手段である。そして、発光変化タイミングと発音タイミングとが一致していない場合には、発光制御手段２７ｄの制御により、発光変化タイミングと発音タイミングとを一致させる。
【００５２】
＜発光制御手段＞
発光制御手段２７ｄは、比較解析手段２７ｃにより、発光変化タイミングとカラオケ演奏データに含まれるビート信号から得られる発音タイミングとが一致していないと判断された場合に、照明装置２８の発光状態を制御して、発音タイミングと発光変化タイミングとを同期させるための手段である。発光制御手段２７ｄにおける同期制御は、最初の同期制御である第１の同期制御と、最初の同期制御である第１の同期制御と、当該第１の同期制御以降に行われる第２の同期制御とからなる。
【００５３】
＜第１の同期制御＞
第１の同期制御は、カラオケ演奏の開始時に最初に行われる同期制御である。第１の同期制御では、最初のビート信号を受信した際に、カラオケ演奏データに含まれるビート信号の受信タイミングで照明装置２８への発光制御信号を発信する。そして、照明装置２８における発光変化タイミング（発光検知信号の受信タイミング）が最初のビート信号の受信タイミングから遅延している遅延時間を求め、最初のビート信号の受信タイミングと次のビート信号の受信タイミングとの時間間隔（テンポ間隔）から遅延時間を差し引いた差分時間だけ、次のビート信号の受信タイミングから照明装置２８への発光制御信号の発信タイミングを遅らせることにより、ビート信号の受信タイミング（発音タイミング）と発光変化タイミングとを同期させる。
【００５４】
上述した第１の同期制御により、カラオケ演奏の開始当初において、カラオケ演奏データに含まれるビート信号から得られる発音タイミングと発光変化タイミングとが同期する。例えば、図３及び図４に示すように、カラオケ演奏開始時におけるビート信号の受信タング（発音タイミング）と、発光検知信号の受信タイミング（発光変化タイミング）との差分（ａ１）が遅延時間となる。第１の同期制御開始時における発光制御信号の発信タイミングは、最初のビート信号の受信タイミング（発音タイミング）と同時であり、これでは発音タイミングからａ１（時間）だけ発光変化タイミングが遅れることになる。
【００５５】
そこで、最初のビート信号の受信タイミングと次のビート信号の受信タイミングとの時間間隔（テンポ間隔）をＴ１（時間）とすると、次の発光制御信号の発信タイミングを、次のビート信号の受信タイミング（発音タイミング）からからＴ１−ａ１（時間）だけ遅らせるような制御を行うことにより、発音タイミングと発光変化タイミングとを同期させることができる。なお、ビート信号の受信タイミング（発音タイミング）と発光変化タイミングとが同期するのは、第１の同期制御を開始してから１拍遅れのタイミングであるが、利用者が歌唱を開始するのはイントロが終了した後であり、一般的に、演奏開始時における照明装置２８の発光状態は殆ど気にならない。
【００５６】
＜第２の同期制御＞
第２の同期制御は、第１の同期制御以降に行われる同期制御であり、この同期制御により、発光制御信号の発信タイミングと発光変化タイミングとのずれを補正することができる。また、利用者の操作によりテンポが速くなったり、あるいは遅くなったりした場合であっても、好適に同期制御を行うことができる。
【００５７】
この第２の同期制御では、照明装置２８へ発光制御信号を発信する毎に、直前に受信したビート信号の受信タイミングとさらにその１つ前に受信したビート信号の受信タイミングとの時間間隔（テンポ間隔）に基づき、次に到来すると予測されるビート信号の予測受信タイミングと、発信した発光制御信号に基づく発光変化タイミングとの差分を求めることにより、直前の同期制御の遅延時間を補正する。そして、直前に受信したビート信号の受信タイミングと次のビート信号の受信タイミングとの時間間隔（テンポ間隔）から当該補正された遅延時間を差し引いた差分時間だけ、次のビート信号の受信タイミングから発光制御信号の発信タイミングを遅らせることにより、ビート信号の受信タイミング（発音タイミング）と発光変化タイミングとを同期させる。
【００５８】
具体的には、図３及び図４に示すように、上述した第１の同期制御により、遅延時間であるａ１（時間）を求め、カラオケ演奏データに含まれるビート信号から得られる発音タイミングからＴ１−ａ１（時間）だけ発光制御信号の発信タイミングを遅延させることにより、ビート信号の受信タイミング（発音タイミング）と発光変化タイミングとを同期させようとする。しかし、実際の遅延時間がａ１＋α＝ａ２（時間）であったとすると、カラオケ演奏データに含まれるビート信号から得られる発音タイミングと発光変化タイミングとがずれることになる。そこで、実際の遅延時間であるａ２（時間）を用いて、次の同期制御を行う。これが第２の同期制御である。
【００５９】
すなわち、図３及び図４に示す例では、第２の同期制御として、直前に受信したビート信号の受信タイミングとさらにその１つ前に受信したビート信号の受信タイミングとの時間間隔（テンポ間隔＝Ｔ１）に基づいて、発光制御信号の発信タイミングを、カラオケ演奏データに含まれるビート信号から得られる発音タイミングからＴ１−ａ２（時間）だけ遅延させることにより、ビート信号の受信タイミング（発音タイミング）と発光変化タイミングとを同期させようとする。しかし、ここでも、実際の遅延時間がａ２−β＝ａ３（時間）であったとすると、ビート信号の受信タイミング（発音タイミング）と発光変化タイミングとがずれることになる。なお、図３及び図４に示す例では、テンポ間隔が変化しているため、ビート信号の受信タイミング（発音タイミング）と発光変化タイミングとのずれは、さらに大きくなる。そこで、実際の遅延時間であるａ３（時間）を用いて、次の同期制御を行う。このようにして、順次、遅延時間の補正を行いながら、同期制御を行うことにより、たとえビート信号の受信タイミング（発音タイミング）と発光変化タイミングとがずれたとしても、そのずれを最小限にとどめることができる。
【００６０】
このように、第２の同期制御は、発光制御信号の発信タイミングと発光変化タイミングとのずれを補正するための同期制御であるが、直前に受信したビート信号の受信タイミングと次のビート信号の受信タイミングとの時間間隔（テンポ間隔）が変化した場合にも、好適に対応することができる。直前に受信したビート信号の受信タイミングと次のビート信号の受信タイミングとの時間間隔（テンポ間隔）が変化するのは、テンポが速くなってテンポ間隔が短くなる場合（図３参照）と、テンポが遅くなって連続するテンポ間隔が長くなる場合（図４参照）である。いずれの場合であっても、テンポ間隔の変化に応じて、補正後の遅延時間を用いて同期制御を行うことにより、発音タイミングと発光変化タイミングとを同期させることができる。
【００６１】
なお、テンポ間隔が変化した場合の第２の同期制御において、ビート信号の受信タイミング（発音タイミング）と発光変化タイミングとが同期するのは、テンポ間隔の変化を検知してから１拍以上遅れたタイミングであるが、一般的には、テンポ間隔が変化するのは利用者の操作がきかっけであるため、利用者はテンポ間隔が変化することを自覚しており、照明装置２８の発光状態は殆ど気にならない。
【００６２】
＜他の実施形態＞
本発明のカラオケ照明システム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６３】
１０  カラオケ演奏装置
２１  カラオケ本体
２２  カラオケリモコン装置
２２ａ  楽曲検索手段
２２ｂ  楽曲索引データベース
２３  マイクロホン
２４  スピーカ
２５  ミキシングアンプ
２６  ディスプレイ装置
２７  発光制御装置
２７ａ  ビート信号受信手段
２７ｂ  発光検知信号受信手段
２７ｃ  比較解析手段
２７ｄ  発光制御手段
２８  照明装置
２８ａ  照明装置（ＬＥＤ）
２８ｂ  照明装置（白熱灯）
２９  光学センサ
２９ａ  光学センサ（ＬＥＤ用）
２９ｂ  光学センサ（白熱灯用）
３１  中央制御手段
３２  ＲＯＭ
３３  ＲＡＭ
３３ａ  予約待ち行列
３４  ＨＤＤ
３４ａ  楽曲データベース
３４ｂ  映像データベース
３５  送受信手段
３６  予約管理手段
３７  映像再生制御手段
３８  音楽再生制御手段
３８ａ  ビート信号出力手段
【図１】
0005491905.tif 000002
【図２】
0005491905.tif 000003
【図３】
0005491905.tif 000004
【図４】
0005491905.tif 000005